(57)【要約】  例示的な実施形態は、低雑音増幅器(LNA)整合デバイス(402)に関連する。デバイスは、ワイヤレス信号を受信するためのアンテナと、少なくとも1つのLNAとを含むことができる。デバイスは、さらに、複数の周波数帯域の各帯域のための最適なLNA整合設定を提供するために、アンテナと少なくとも1つのLNAとの間に結合され、1つまたは複数の制御信号を受信するように構成されたLNA整合デバイス(402)を含むことができる。
2016539563.tif 000002
【特許請求の範囲】
【請求項１】
少なくとも1つの低雑音増幅器(LNA)と、
前記少なくとも1つのLNAに結合され、複数の周波数帯域のうちの選択された帯域のためのLNA整合設定を提供するために1つまたは複数の制御信号を受信するように構成されたLNA整合デバイスと
を備えるデバイス。
【請求項２】
前記LNA整合デバイスに結合された少なくとも1つのインダクタをさらに備える、請求項1に記載のデバイス。
【請求項３】
前記少なくとも1つのインダクタが、前記LNA整合デバイスの入力と出力との間に結合された、前記LNA整合デバイスの外部にある複数のインダクタを備える、請求項2に記載のデバイス。
【請求項４】
前記LNA整合デバイスが、1つまたは複数の可変キャパシタを備える、請求項1に記載のデバイス。
【請求項５】
前記1つまたは複数の可変キャパシタの各可変キャパシタが、デジタル式に制御されるキャパシタバンクと、アナログ調整可能な容量とのうちの一方を備える、請求項4に記載のデバイス。
【請求項６】
ワイヤレス信号の雑音指数を測定し、
前記LNA整合デバイスに前記1つまたは複数の制御信号を伝達する
ように構成されたプロセッサをさらに備える、請求項1に記載のデバイス。
【請求項７】
前記LNA整合デバイスが、
複数の受信経路のうちの1つに結合するように切替可能に構成された入力と、
広帯域LNAに結合するように構成された出力と
を備える、請求項1に記載のデバイス。
【請求項８】
前記LNA整合デバイスが、
複数の受信経路のうちの1つに結合するように切替可能に構成された入力と、
広帯域LNAを備える前記少なくとも1つのLNAのうちの1つのLNAに結合するように切替可能に構成された出力と
を備える、請求項1に記載のデバイス。
【請求項９】
前記LNA整合デバイスが、
受信経路に結合するように構成された入力と、
前記少なくとも1つのLNAのうちの広帯域LNAに結合するように構成された出力と
を備える、請求項1に記載のデバイス。
【請求項１０】
前記LNA整合デバイスが、前記LNA整合デバイスを調整するための複数のスイッチを備える、請求項1に記載のデバイス。
【請求項１１】
前記1つまたは複数の制御信号が、デジタルワードおよびアナログ制御信号のうちの一方を含む、請求項1に記載のデバイス。
【請求項１２】
低雑音増幅器(LNA)整合デバイスにおいてワイヤレス信号を受信するステップと、
前記LNA整合デバイスからLNAに前記ワイヤレス信号を伝達するステップと、
前記ワイヤレス信号の雑音指数を測定するステップと、
複数の周波数帯域のうちの選択された帯域に関する前記雑音指数を最小化するために前記LNA整合デバイスを調整するステップと
を含む方法。
【請求項１３】
前記調整するステップが、前記LNA整合デバイスの1つまたは複数のキャパシタバンクの容量を変化させるステップを含む、請求項12に記載の方法。
【請求項１４】
前記調整するステップが、前記LNA整合デバイスの1つまたは複数のスイッチの状態を調整するステップを含む、請求項12に記載の方法。
【請求項１５】
デジタルワードおよびアナログ制御信号のうちの一方を含む1つまたは複数の制御信号を、前記LNA整合デバイスを調整するために前記LNA整合デバイスに伝達するステップをさらに含む、請求項12に記載の方法。
【請求項１６】
前記ワイヤレス信号を受信するステップが、複数の受信経路のうちの1つに結合するように切替可能に構成された入力において信号を受信するステップを含む、請求項12に記載の方法。
【請求項１７】
前記ワイヤレス信号を伝達するステップが、複数のLNAのうちの1つに結合するように切替可能に構成された出力において信号を伝達するステップを含む、請求項12に記載の方法。
【請求項１８】
低雑音増幅器(LNA)整合デバイスにおいてワイヤレス信号を受信するための手段と、
前記LNA整合デバイスからLNAに前記ワイヤレス信号を伝達するための手段と、
前記ワイヤレス信号の雑音指数を測定するための手段と、
複数の周波数帯域のうちの選択された帯域に関する前記雑音指数を最小化するために前記LNA整合デバイスを調整するための手段と
を備えるデバイス。
【請求項１９】
前記調整するための手段が、1つまたは複数の可変キャパシタおよび1つまたは複数のスイッチのうちの少なくとも一方を備える、請求項18に記載のデバイス。
【請求項２０】
前記LNA整合デバイスのための整合設定を決定し、前記LNA整合デバイスを調整するために1つまたは複数の制御信号を伝達するための手段をさらに備える、請求項18に記載のデバイス。
【発明の詳細な説明】
【技術分野】
【０００１】
関連出願の相互参照
本出願は、その内容がその全体において参照により本明細書に明示的に組み込まれている、2013年11月7日に出願した、共同所有の米国非仮特許出願第14/074,612号の優先権を主張するものである。
【０００２】
本発明は、全体的に、低雑音増幅器整合デバイスに関する。
【背景技術】
【０００３】
マルチモード、マルチ規格のワイヤレス通信デバイスは、通常、1つまたは複数の高性能無線受信機を必要とし、これらの高性能無線受信機は、最高の感度性能を達成するために、弱い信号に対して十分な信号対雑音比(SNR)性能を提供するべきである。加えて、マルチモード受信機は、最小限の歪みで広いダイナミックレンジにわたって信号および干渉レベルを直線的に処理するべきである。すなわち、高い直線性性能が必要とされる。受信機内の歪みは、たとえば、相互変調および利得圧縮によって引き起こされ得る。より高い直線性は、低減した相互変調レベルおよび利得圧縮をもたらす。その結果、低雑音、高利得性能も必要とされる。典型的には、高い直線性と低雑音の両方を同時に提供する受信機設計技術は、達成することが困難であり、設計の妥協の対象となる。
【０００４】
高性能受信機の1つの重要な構成要素は、低雑音増幅器(LNA)である。LNAは、受信機の全体的な雑音性能の主要な決定要素であり得る。言い換えれば、高い直線性および低雑音などのLNAの特性は、全体的な受信機の性能を支配する可能性がある。一般に、LNAは、アンテナとLNAとの間の無線周波数(RF)損失を最小限にするために、受信機のフロントエンドにおいて、受信アンテナインターフェースの近くに配置される。LNAは、LNA入力において現れる雑音を超える最小量の過剰雑音に寄与しながら、高利得を提供するように設計される。この特性は、低雑音指数として知られる。高い直線性特性を達成するために、LNAは、また、高い3次入力インターセプトポイント(IIP3)を有するべきであり、IIP3は、3次相互変調積レベルが、外挿された直線的な所望の出力レベルに等しい場合の入力レベルである。一般に、IIP3の高い値は、高い直線性性能を示す。
【０００５】
トランシーバデバイスは、より多くの周波数帯域およびより多くのモードをカバーするためにより多くのLNAを追加しながら、サイズにおいて縮小している。従来のRFトランシーバの特定用途向け集積回路(ASIC)は、低帯域(600MHz〜960MHz)、中帯域(1400〜2100MHz)、および高帯域(2200MHz〜2700MHz)をカバーするために、少なくとも20のLNAを含むことがある。少なくとも20のLNAを含むデバイスパッケージは、約3.8ミリメートル×3.8ミリメートルであり得、さらに、各LNAのための受動整合構成要素は、トランシーバデバイスのサイズの3倍の面積を占める。その上、各LNAは、最高の雑音指数および利得のために手動でインピーダンス整合されなければならず、したがって、追加の時間を消費する。したがって、受信機LNA整合は、大量の面積を占有し、各部分を変更するためにかなりの努力を必要とする。典型的なLNAは、2つの受動整合構成要素を有することがあり、20の一次受信機LNAおよび20のダイバーシティ受信機LNAを仮定すると、受信機は、約80の受動整合構成要素を含むことがある。
【発明の概要】
【発明が解決しようとする課題】
【０００６】
強化されたワイヤレス通信デバイスに対する必要性が存在する。より具体的には、プログラマブルLNA整合デバイスを含むワイヤレス通信デバイスに関連する実施形態に対する必要性が存在する。
【図面の簡単な説明】
【０００７】
【図１】本発明の例示的な実施形態による、トランシーバの特定用途向け集積回路を含むデバイスを示す図である。
【図２】ワイヤレス通信デバイスを示す図である。
【図２Ａ】図2のワイヤレス通信デバイスの個々の部分を示す図である。
【図２Ｂ】図2のワイヤレス通信デバイスの個々の部分を示す図である。
【図２Ｃ】図2のワイヤレス通信デバイスの個々の部分を示す図である。
【図３】本発明の例示的な実施形態による電子デバイスのブロック図である。
【図４】本発明の例示的な実施形態による、複数の整合デバイスに結合されたトランシーバモジュールを含むデバイスを示す図である。
【図５】本発明の例示的な実施形態による、複数の整合デバイスに結合されたトランシーバモジュールを含む別のデバイスを示す図である。
【図６】本発明の例示的な実施形態による整合デバイスを示す図である。
【図７】本発明の例示的な実施形態による別の整合デバイスを示す図である。
【図８】本発明の例示的な実施形態によるさらに別の整合デバイスを示す図である。
【図９】インダクタ値の例示的な選択を示すスミスチャートである。
【図１０】本発明の例示的な実施形態による、トランシーバモジュールに結合された複数の整合デバイスを含むデバイスを示す図である。
【図１１】本発明の例示的な実施形態による、整合デバイスと低雑音増幅器とを含むシステムを示す図である。
【図１２】雑音指数測定ユニットの出力を示すプロットである。
【図１３】本発明の例示的な実施形態による方法を示すフローチャートである。
【発明を実施するための形態】
【０００８】
添付の図面に関する下記の詳細な説明は、本発明の例示的な実施形態の説明として意図されており、本発明が実施され得る唯一の実施形態を表すように意図されているわけではない。本説明全体にわたって使用される「例示的」という用語は、「例、実例、または例示として機能すること」を意味しており、必ずしも、他の例示的な実施形態よりも好ましい、または有利であると解釈されるべきではない。詳細な説明は、本発明の例示的な実施形態の完全な理解を提供する目的のための具体的な詳細を含む。本発明の例示的な実施形態は、これらの具体的な詳細なしに実践されてよいことが、当業者には明らかであろう。場合によっては、本明細書に提示される例示的な実施形態の新規性を曖昧にすることを回避するために、よく知られている構造およびデバイスがブロック図の形式で示されている。
【０００９】
ワイヤレス通信デバイスの従来のトランシーバは、グローバルな帯域およびモードのカバレッジのために設計され、単一のモバイルハンドセットにおいて20の周波数帯域を超えることがある。さらに、図1および図2において以下に例示するように、従来のトランシーバは、各受信信号経路のための帯域選択フィルタを有する多数のLNAを必要とすることがある。トランシーバは、適切なフィルタを用いて各受信信号経路を選択するスイッチと、LNA整合と、選択された受信機経路のための付随するLNAとを含むことができる。さらに、トランシーバは、1つまたは複数のフィルタが後に続くアンテナスイッチモジュール(ASM(antenna switch module))と、多くの場合において、LNAの数またはキャリアアグリゲーションに応じて別のスイッチとを使用することができる。トランシーバ内の各LNAは、2つまたは3つの受動整合構成要素を含むことができ、受動整合構成要素の面積は、トランシーバASICの面積を数桁の大きさ超えることがある。開始LNA整合値を予測する受信機およびLNAシミュレーションにもかかわらず、プリント回路基板(PCB)の寄生および非理想的な受動構成要素により、手動の経験的整合が依然として必要とされる。さらに、LNA受動構成要素が多くなることは、整合に充てられる時間が大幅に増加することに等しい。
【００１０】
図1は、LNA103を含むトランシーバASIC102を含むデバイス100を示す。デバイス100は、さらに、一次受信機LNA整合回路104と、ダイバーシティ受信機LNA整合回路106とを含む。図1に示すように、各LNA103は、専用の整合構成要素に結合され、これは、増大した整合構成要素面積をもたらす。
【００１１】
図2は、図2Aに詳細に示す部分202と、図2Bに詳細に示す部分204と、図2Cに詳細に示す部分206とを含むワイヤレス通信デバイス200を示す。図2Aを参照して、通信デバイス200は、第1のアンテナモジュール210に結合された一次アンテナ208と、第2のアンテナモジュール214に結合されたダイバーシティアンテナ212とを含む。第1のアンテナモジュール210は、デュプレクサ220A〜220Cに結合されたスイッチ216を含む。さらに、第2のアンテナモジュール214は、第2のアンテナモジュール214とダイバーシティアンテナ212とに関連付けられたLNA整合回路224A〜224Dを含む複数のLNA経路に結合されたスイッチ222を含む。デバイス200は、第2のアンテナモジュール214とダイバーシティアンテナ212とに関連付けられた追加のLNA受信経路(たとえば、20〜30のLNA受信経路)を含んでもよいことに留意されたい。
【００１２】
図2Bに示す部分204を参照して、デバイス200は、さらに、第1のアンテナモジュール210と一次アンテナ208とに関連付けられたLNA受信経路内の追加のLNA整合回路224E〜224Gを含む。デバイス200は、第1のアンテナモジュール210と一次アンテナ208とに関連付けられた追加のLNA受信経路(たとえば、20のLNA受信経路)を含んでもよいことに留意されたい。部分204を続けて参照して、デバイス200は、複数のLNAを含むトランシーバ集積回路(IC)226も含み、各LNAは、専用LNA経路に関連付けられる。図2Cに示す部分206を参照して、デバイス200は、トランシーバIC226(図2B参照)に結合された移動局モデムID230を含むこともできる。当業者には理解されるように、従来のトランシーバを備えるデバイス200は、各受信信号経路のための帯域選択フィルタを有する多数のLNAを必要とする。
【００１３】
例示的な実施形態は、本明細書で説明するように、プログラマブルLNA整合に関連するデバイスおよび方法に向けられている。本発明の様々な例示的実施形態によれば、最小限の受信機雑音指数のための自動化された受信機雑音整合を可能にするプログラマブル整合デバイスは、ワイヤレス通信デバイス内の非常に多くのLNA整合構成要素を大きく減少させることができる。プログラマブルLNA整合デバイスは、デュプレクサを含む、多くの帯域選択フィルタからのLNA入力を多重化する1つまたは複数の内蔵広帯域スイッチを含むことができる。したがって、プロセッサがセッティングルックアップテーブルを使用して各帯域の最適なLNA整合セッティングを設定することができるように、1つの広帯域LNA、または少数のLNAは、多数の周波数帯域のサービスを提供することができる。プログラマブルLNAは、より高いQを実現するために、様々な実施形態のための1つまたは複数の外部インダクタを必要とする可能性がある。ガラスまたはサファイア基板を含む他の実施形態は、完全に統合された解決策のための高Qインダクタをパッケージにおいて用いることができる。さらに、実施形態は、非常にコンパクトなソフトウェア制御調整可能デバイスのためのデバイスダイとともにガラス上に集積された受動デバイスを含むことができる。加えて、実施形態は、トランシーバASCI内にプログラマブルLNA整合を統合し、大部分のLNA整合を排除することができる。
【００１４】
より具体的には、1つの例示的な実施形態によれば、デバイスは、少なくとも1つのLNAと、少なくとも1つのLNAに結合されたLNA整合デバイスとを含むことができ、複数の周波数帯域のうちの選択された帯域のための最適なLNA整合設定を提供するために1つまたは複数の制御信号を受信するように構成され得る。本発明の別の例示的な実施形態は、LNA整合デバイスを動作させるための方法を含む。そのような方法の様々な実施形態は、LNA整合デバイスにおいてワイヤレス信号を受信するステップと、LNA整合デバイスからLNAにワイヤレス信号を伝達するステップとを含むことができる。方法は、ワイヤレス信号の雑音指数を測定するステップと、複数の周波数帯域のうちの選択された帯域に関する雑音指数を最小化するためにLNA整合デバイスを調整するステップとを含むこともできる。
【００１５】
本発明の他の態様、ならびに、様々な態様の特徴および利点は、次の説明、添付の図面、および添付の特許請求の範囲の検討を通して、当業者に明らかになるであろう。
【００１６】
図3は、本発明の例示的な実施形態による電子デバイス300のブロック図である。一例によれば、デバイス300は、モバイル電話などの携帯用電子デバイスを備えることができる。デバイス300は、デジタルモジュール302、RFモジュール304、および電力管理モジュール306などの様々なモジュールを含むことができる。デジタルモジュール302は、メモリと、1つまたは複数のプロセッサとを備えることができる。RF回路を備えることができるRFモジュール304は、送信機307と受信機309とを含むトランシーバ305を含むことができ、アンテナ308を介する双方向ワイヤレス通信のために構成され得る。一般に、ワイヤレス通信デバイス300は、任意の数の通信システムのための任意の数の送信機および任意の数の受信機と、任意の数の周波数帯域と、任意の数のアンテナとを含むことができる。本発明の例示的な実施形態によれば、受信機309は、以下に説明する例示的な実施形態のうちの1つまたは複数を含むことができる。
【００１７】
図4は、本発明の例示的な実施形態によるデバイス350を示す。デバイス350は、複数のLNA入力353を有するトランシーバモジュール352(たとえば、トランシーバASIC)を含む。さらに、デバイス350は、デバイス360A〜360Dを含み、デバイス360A〜360Dの各々は、本明細書では、プログラマブルLNA整合デバイスと呼ばれ得る。各デバイス360A〜360Dは、たとえば、デュプレクサ(図4には図示せず)から複数の入力を受信し、出力を伝達するように構成され、出力は、トランシーバモジュール352の複数のLNAのうちの1つによって受信され得る。図示のように、各デバイス360A〜360Dは、それらに結合された外部インダクタLxを有することができる。例として、デバイス360Aは、1つまたは複数のデュプレクサフィルタバンクから一次低帯域(LB)(たとえば、600MHz〜960MHz)および/または中帯域(MB)(たとえば、1400〜2100MHz)入力を受信するように構成され得、デバイス360Bは、1つまたは複数のデュプレクサフィルタバンクから一次高帯域(HB)(たとえば、2200MHz〜2700MHz)入力を受信するように構成され得る。さらに、デバイス360Cは、1つまたは複数のデュプレクサフィルタバンクからダイバーシティHB入力を受信するように構成され得、デバイス360Dは、1つまたは複数のデュプレクサフィルタバンクからダイバーシティLBおよび/またはMB入力を受信するように構成され得る。一例として、各デバイス360A〜360Dは、4と10との間の入力と、4つの出力とを含むことができる。
【００１８】
図5は、本発明の例示的な実施形態による別のデバイス380を示す。デバイス380は、複数のLNA入力353を有するトランシーバモジュール382(たとえば、トランシーバASIC)を含む。さらに、デバイス380は、デバイス380A〜380Dを含み、デバイス380A〜380Dの各々は、本明細書では、プログラマブルLNA整合デバイスとも呼ばれ得る。各デバイス380A〜380Dは、たとえば、デュプレクサ(図5には図示せず)から複数の入力を受信し、出力を伝達するように構成され、出力は、トランシーバモジュール382のLNAによって受信され得る。図示のように、各デバイス380A〜380Dは、それらに結合された外部インダクタLxを有することができる。例として、デバイス380Aは、1つまたは複数のデュプレクサフィルタバンクから一次LBおよび/または中帯域MB入力を受信するように構成され得、デバイス380Bは、1つまたは複数のデュプレクサフィルタバンクから一次HB入力を受信するように構成され得る。さらに、デバイス380Cは、1つまたは複数のデュプレクサフィルタバンクからダイバーシティHB入力を受信するように構成され得、デバイス380Dは、1つまたは複数のデュプレクサフィルタバンクからダイバーシティLBおよび/またはMB入力を受信するように構成され得る。
【００１９】
一例として、各デバイス380A〜380Dは、帯域の数、またはパッケージサイズによって影響を受ける対象領域の節約に応じて、2と10との間の入力を含むことができる。さらに、各デバイス380A〜380Dは、たとえば、1つの出力を含むことができる。以下でより詳細に説明するように、LNA整合デバイスは、選択されたLNAのための最適な整合を提供するための自動化整合アルゴリズムに従って機能することができる。入力マルチプレクサスイッチ、デバイスダイ、外部インダクタLxを含む受動デバイスは、高度に集積されたコンパクトなデバイスの解決策に適したガラスまたはサファイア基板上に集積され得ることに留意されたい。
【００２０】
さらに、他の実施形態によれば、1つまたは複数のLNAは、1つの出力のみを有するデバイス380内に集積され得る。
【００２１】
図6は、本発明の例示的な実施形態によるデバイス400を示す。デバイス400は、LNA整合デバイス402を含み、LNA整合デバイス402は、複数の受信経路RX1〜RX10のうちの1つと選択的に結合するためのスイッチS1を含む入力ユニット403を含む。スイッチS1は、10の可能な受信経路のうちの1つに選択的に結合するために構成されているものとして示されているが、本発明は、これに限定されない。そうではなく、スイッチS1は、任意の数の受信経路のうちの1つに選択的に結合するために構成され得る。LNA整合デバイス402は、さらに、スイッチS2〜S4と可変キャパシタC1およびC2とを含む。例として、可変キャパシタC1およびC2は、デジタル式に段階的なキャパシタバンク、アナログ調整されたキャパシタ、またはそれらの組合せを備えることができる。
【００２２】
図示のように、スイッチS2は、ノードAとノードBとの間に結合される。ノードBは、さらに、必要であるならば、シャントキャパシタまたはシャントインダクタに結合され得る。シャントキャパシタまたはシャントインダクタのいずれがノードBに結合されるべきであるかについての決定は、最良の雑音指数のためのLNAの最適なソースインピーダンスに基づくことができる。さらに、スイッチS3は、ノードAとノードCとの間に結合され、ノードCは、ノードDにも結合される。可変キャパシタC2は、ノードCとノードEとの間に結合され、ノードEは、さらに、接地電圧に結合され得る。可変キャパシタC1は、ノードEとノードGとの間に結合され、ノードGは、さらに、必要であるならば、シャントキャパシタに結合され得る。さらに、スイッチS4は、ノードGとノードFとの間に結合される。ノードFは、さらに、出力ユニット410に結合され、出力ユニット410は、複数のLNA入力(すなわち、LNA入力LNA1〜LNA4)のうちの1つに選択的に結合するためのスイッチS5を含む。
【００２３】
デバイス400は、さらに、インダクタL1を含み、インダクタL1は、LNA整合デバイス402の外部にあり、ノードFとノードDとの間に結合される。加えて、LNA整合デバイス402は、コントローラ404を含むことができ、コントローラ404は、別の外部コントローラとインターフェースし、スイッチS1〜S5ならびに可変キャパシタC1およびC2の動作を制御するように構成され得る。
【００２４】
1つの例示的な実施形態によれば、コントローラ404は、動作の帯域に応じてスイッチS5およびS1の構成を選択することができる。さらに、コントローラ404は、インダクタL1と組み合わされたキャパシタC1およびC2、ならびに、必要であればオプションのシャントCまたはLのための値の選択を可能にするように、必要に応じてスイッチS3、S4、およびS2を構成することができる。LNAが受信機の特性インピーダンス(大部分の無線システムにおいて、通常50オーム)の近くの最適な雑音指数のために設計されている場合、図6に示す例示的な実施形態のトポロジーは、十分である。LNAの(たとえば、スミスチャート上の)最小雑音指数の位置に応じて、ソースインピーダンスは、最適化アルゴリズムが最良の雑音指数位置に最も近い値を選択することができるように変換される。スイッチS5によって導入される寄生は、インダクタL1の値、ならびにキャパシタC1およびC2のためのキャパシタ範囲の適切な選択により、デバイス400の設計によって補償され得ることに留意されたい。
【００２５】
図7は、本発明の別の例示的な実施形態によるデバイス450を示す。デバイス450は、受信経路に結合された入力453を含むLNA整合デバイス452を含む。LNA整合デバイス452は、さらに、スイッチS2〜S4と、可変キャパシタC1およびC2とを含む。LNA整合デバイス402(図6参照)と同様に、スイッチS2は、ノードAとノードBとの間に結合される。ノードBは、さらに、必要であるならば、シャントキャパシタまたはシャントインダクタに結合され得る。さらに、スイッチS3は、ノードAとノードCとの間に結合され、ノードCは、ノードDにも結合される。可変キャパシタC2は、ノードCとノードEとの間に結合され、ノードEは、さらに、接地電圧に結合され得る。可変キャパシタC1は、ノードEとノードGとの間に結合され、ノードGは、さらに、必要であるならば、シャントキャパシタに結合され得る。さらに、スイッチS4は、ノードGとノードHとの間に結合される。ノードHは、さらに、出力460に結合され、出力460は、LNAの入力に結合され得る。
【００２６】
デバイス450は、さらに、インダクタL1を含み、インダクタL1は、LNA整合デバイス452の外部にあり、ノードHとノードDとの間に結合される。加えて、LNA整合デバイス452は、コントローラ404を含むことができ、コントローラ404は、別の外部コントローラとインターフェースし、スイッチS2〜S4ならびに可変キャパシタC1およびC2の動作を制御するように構成され得る。図6のデバイス400とは異なり、デバイス450は、多重化スイッチを含まず、したがって、関連する挿入損失および寄生を含まない。デバイス450の動作は、デバイス400と同じであってもよく、ノードBは、LNAの最適なインピーダンスが最良の利得および雑音指数のために必要とされるか否かに応じて、オプションのシャントCまたはシャントLを有することができる。
【００２７】
図8は、本発明の例示的な実施形態によるデバイス500を示す。デバイス500は、LNA整合デバイス502を含み、LNA整合デバイス502は、たとえば、フロントエンドデュプレクサバンクからの複数の低周波数入力のうちの1つに選択的に結合するためのスイッチS1を含む入力ユニット503を含む。スイッチS1は、10の受信経路のうちの1つに選択的に結合するために構成されているものとして示されているが、本発明は、これに限定されない。そうではなく、スイッチS1は、任意の数の受信経路のうちの1つに選択的に結合するために構成され得る。LNA整合デバイス502は、さらに、スイッチS2〜S4と可変キャパシタC1およびC2とを含む。LNA整合デバイス402(図6参照)と同様に、スイッチS2は、ノードAとノードBとの間に結合され、ノードBは、さらに、必要であるならば、シャントキャパシタまたはシャントインダクタに結合され得る。さらに、スイッチS3は、ノードAとノードCとの間に結合され、ノードCは、ノードDにも結合される。可変キャパシタC2は、ノードCとノードEとの間に結合され、ノードEは、さらに、接地電圧に結合され得る。可変キャパシタC1は、ノードEとノードGとの間に結合され、ノードGは、さらに、必要であるならば、シャントキャパシタに結合され得る。さらに、スイッチS4は、ノードGとノードHとの間に結合される。ノードHは、さらに、出力461に結合され、出力461は、LNAの入力に結合され得る。
【００２８】
当業者によって理解されるように、800MHz未満の無線周波数は、高いQを有する、物理的により大きく、より高い値の整合インダクタを必要とする可能性がある。さらに、基板面積を節約するために、2つの直列に接続された小さい高Qインダクタが、物理的に大きい高Qインダクタの代わりに使用され得る。したがって、図8に示すように、デバイス500は、さらに、インダクタL1を含み、インダクタL1は、LNA整合デバイス502の外部にあり、ノードHとノードDとの間に結合される。同様にLNA整合デバイス502の外部にある追加のインダクタL2は、ノードDとノードJとの間に結合される。
【００２９】
LNA整合デバイス502は、さらに、コントローラ404を含むことができ、コントローラ404は、別の外部コントローラとインターフェースし、スイッチS1〜S4ならびに可変キャパシタC1およびC2の動作を制御するように構成され得る。デバイス500の動作は、デバイス500がスイッチS5を含まず、スイッチ3が開いており、信号にインダクタL2を通過させることを除いて、デバイス400と同じであってもよい。デバイス500は、低周波数LNAを整合するために、シャントキャパシタC3を、インダクタL2、キャパシタC2、インダクタL1、および、あるいはキャパシタC1とともに使用することができる。
【００３０】
トランシーバモジュール382およびLNA入力353(図5参照)などの様々な受信機構成要素は、デバイス500内のスイッチS1を介して選択された周波数帯域に応じて再調整され得るプログラマブルLNA整合として本発明の例示的実施形態を使用して広帯域LNAを用いることができる。さらに、中帯域(典型的には、1400MHz〜2100MHz)が1つのインダクタのみを必要とすることができ、高帯域(典型的には、2200MHz〜2700MHzもしくはそれより高い)が異なる値の1つのインダクタのみを必要とすることができる間、低帯域が2つの直列インダクタを必要とすることができる場合、デバイス500は、任意の帯域分割のために使用され得る。デバイス(たとえば、図5に示すデバイス380)の複数のLNA入力および関連する整合構成要素は、たとえば、デバイス500を実装することによって、4つのパッケージ化された部分および4つのインダクタに減少され得、したがって、面積の節約と、手動の受動構成要素の整合の時間短縮と、ソフトウェアの再構成可能な整合とをもたらす。さらに、デバイス500は、LNAを手動で再整合することなく、新しいまたは異なる周波数帯域のためのフロントエンド設計の容易な変更を可能にすることができる。その上、たとえば、ソフトウェアルックアップテーブルは、新しい帯域のためのキャパシタC1、C2、およびC3のための値を再選択し、時間および費用を節約し、複数の市場分野のための複数の製品をサポートすることができる。
【００３１】
当業者によって理解されるように、送信-受信アンテナ無線周波数スイッチと、対象の帯域のためのデュプレクサフィルタとを含むことができるトランシーバフロントエンドは、本発明の様々な実施形態を行うために設計され得る。プリント回路基板の設計、構成要素の選択、およびシミュレーションによって、当業者は、たとえば、図7に示すデバイス450の入力453からわかるように、対象の帯域にわたるソースインピーダンス(Zs)を決定することができる。加えて、対象の各周波数帯域内の特定の周波数における最良の雑音指数および利得のためのLNAによって必要とされるインピーダンスは、シミュレーションまたは他のテストによって予測され得る。さらに、LNAの雑音指数および利得円の知識が役立つ可能性があるが、必ずしも必要ではない。周波数帯域にわたって同時に最良の雑音指数と最良の利得とを有することは、困難である可能性があることに留意されたい。ソースインピーダンスに加えて、最良の雑音指数が予測される点の軌跡と、動作範囲とが、決定され得る。したがって、ソースインピーダンスが、最良のシステム出力SNRのための雑音指数と利得との最良の組合せにおいてLNAが動作することを可能にするように、C1およびC2のキャパシタ値が、最良の雑音指数の点の軌跡を覆い、利得の範囲(利得円)を覆うことができるように、インダクタL1の値は、選択され得る。
【００３２】
図9は、LNA整合デバイスのためのインダクタ値を選択する例を示すスミスチャートを示す。この例において、デバイス450(図7参照)のインダクタL1のためのインダクタ値が選択され、ここで、スイッチS2は、開かれ、スイッチS3は、閉じられ、ノードBは、シャントキャパシタまたはシャントインダクタに結合されない。さらに、ソースインピーダンスは、860MHz〜960MHzの範囲内の890MHzにおいて40-j12オームに等しい(たとえば、B5およびB8ダウンリンク)。当業者によって理解されるように、最適なLNA雑音指数は、Zopt=63+j8オームであるが、最適な利得は、これからわずかに離れている可能性があり、帯域にわたって変化する可能性がある。インダクタL1の値は、最適化アルゴリズム(たとえば、図11の最適化アルゴリズム630)がシステム利得とカスケード雑音指数との最良の組合せを与えるC1およびC2の最適な値を探索するとき、キャパシタC1およびC2の範囲がZoptの周囲に点の軌跡を生成するように選択される。最適化アルゴリズムは、インピーダンスについて何も知らなくてもよく、キャパシタC1およびC2のための値を選択することができ、測定された雑音指数または出力SNRに基づいて最適化することができることに留意されたい。フリスの公式によって、LNAの雑音指数および利得は、システムのカスケード雑音指数を支配する。以下の図において、L1は、固定値であり、C1およびC2は、値がランダムに変化する。この例は、デバイスの寄生シャントキャパシタンスがキャパシタC1およびC2に含まれることを仮定していることに留意されたい。図9を特に参照すると、参照番号532は、対象の周波数帯域にわたるインダクタL1の選択された値でのキャパシタC1およびC2のステップの値の範囲を表す。さらに、参照番号534は、キャパシタC1およびC2のための値の範囲が最適なインピーダンス(たとえば、最良のシステム出力SNR)のための点の軌跡536を覆うことを可能にするためのインダクタL1の固定値の選択を表す。
【００３３】
当業者は、連続波を用いて基準トーンを測定したときにシステム出力SNRが最大になるように、デバイスが整合最適化アルゴリズムとともにC1およびC2の最適な値を選択することができるように、対象の周波数帯域のための固定インダクタL1を選択する。この基準トーンは、システムの雑音指数(NF)のより正確な測定のための既知の入力SNRのために設定された外部信号発生器であってもよく(最適NF目標または出力SNR目標を用いて、最適化アルゴリズムは、C1およびC2のための設定に迅速に集中することになる)、または、システムが最良の場合の出力SNRのために最適化するように、いくらかの不確実性で設定された内部基準トーンレベルであってもよい。例示的な実施形態のいずれかによるL1の適切な選択は、受動構成要素を手動で変更することなしに、または、受動構成要素を有する外部のRFスイッチを使用することなしには不可能である可能性がある広い動作帯域幅にわたる最適化を整合する。最後に、いくつかの設計は、直列インダクタンスを必要としない場合がある。L1の代わりに短い伝送ライン接続が、必要とされるすべてのものであってもよい。
【００３４】
図10は、本発明の別の例示的な実施形態によるデバイス550を示す。デバイス550は、一次トランシーバ552とダイバーシティトランシーバ554とを含む。デバイス550は、さらに、一次トランシーバ552に結合されたデバイス556および558と、ダイバーシティトランシーバ554に結合されたデバイス560および562とを含む。デバイス556、558、560、および562の各々は、デバイス400(図6参照)、デバイス450(図7参照)、デバイス500(図8参照)、またはそれらの任意の組合せを備えることができる。図10に示すように、各デバイス556、558、560、および562は、複数のLNAのうちの1つに選択的に結合するために構成される。1つの例示的な実施形態によれば、デバイス556および558は、LNA整合デバイス224E、224F、224G、など(図2B参照)に置換わることができ、結果としてより少ない部品をもたらす。同様に、デバイス560および562は、LNA整合デバイス224A、224B、224C、224D、など(図2A参照)に置換わることができ、結果としてより少ない部品をもたらす。
【００３５】
図11は、本発明のさらに別の例示的な実施形態によるシステム600の図である。当業者によって理解されるように、システム600は、LNAの既知の入力SNRを仮定して、LNAの最適な出力SNRのためのキャパシタC1およびC2のための値を選択するように構成され得る。システム600は、プログラマブルLNA整合デバイス610の入力に結合された信号発生器602を含む。プログラマブルLNA整合デバイス610は、本明細書で説明するLNA整合デバイス(すなわち、LNA整合デバイス402、LNA整合デバイス452、またはLNA整合デバイス502)のうちの1つを備えることができることに留意されたい。さらに、システム600は、インダクタLを含み、インダクタLは、外部にあり、LNA整合デバイス610に結合される。LNA整合デバイス610の出力は、特定の実施形態に応じて、トランシーバモジュール609の1つのLNAポート、または複数のLNAポートに接続することができる。一例として、トランシーバモジュール609は、トランシーバASICを備えることができる。トランシーバモジュール609は、LNA622と、ダウンコンバータおよびローパスフィルタ(LPF)624とを含む。トランシーバモジュール609内で、LNAのRF出力信号は、ダウンコンバータおよびLPF624によってダウンコンバートされ、モデムプロセッサ611に伝達される。モデムプロセッサ611は、アナログ-デジタル変換器(ADC)640と、サンプルサーバ642とを含む。既知のサンプリングレートを用いて構成され得るADC640は、ダウンコンバータおよびLPF624の出力を受信することができ、最適化アルゴリズムによって処理するために読み出されるNのサンプルを記憶するメモリまたはサンプルサーバ642に結合することができる。サンプルサーバ642は、USBを介して外部のPCに、または何らかの他のバスを介してアプリケーションプロセッサにデータを出力することができる。
【００３６】
ソフトウェアまたはアルゴリズムモジュールを備えることができるモジュール620は、雑音指数計算ユニット624と、収束ユニット626と、最適化アルゴリズム630と、メモリ634とを含む。雑音指数計算ユニット624は、出力SNRから雑音指数を計算し、結果を収束ユニット626に出力するように構成され得る。システム600は、計算された雑音指数の代わりに出力SNRを使用することができることに留意されたい。収束ユニット626は、目標雑音指数もしくは目標出力SNRを受信することができ、または、目標雑音指数もしくは目標出力SNRを用いてプログラムされ得る。さらに、収束ユニット626は、以前に測定された雑音指数または出力SNRを追跡し続けることができ、1つまたは複数の測定値を現在の測定値と比較することができる。さらなる改善が現在の測定値において見出されないとき、システム600は、デバイス610によってサポートされる動作の各周波数帯域のための設定の表を構築するために、最適なインピーダンスZoptをメモリ634に記憶することができる。モジュール620は、外部PC、モデムプロセッサ611のデジタル信号プロセッサ、アプリケーションプロセッサ、またはそれらの任意の適切な組合せの一部(たとえば、その上で動作する)であり得る。
【００３７】
システム600は、最大の出力SNR(すなわち、最小のまたは最良の雑音指数を推測する)を決定するように構成され得ることに留意されたい。入力SNRを知ることは、モジュール620がカスケード雑音指数を計算することを可能にする(すなわち、雑音指数(dB)=SNRin(dB)-SNRout(dB))。適切に設計された受信機システムにおいて、LNA利得および雑音指数は、システムのカスケード雑音指数を支配する可能性がある。当業者は、不十分なLNA利得は、高い雑音指数を有する受信機のその後の部分が、カスケード雑音における急激な上昇を引き起こすシステム雑音により多く寄与することを可能にすることを理解するであろう。システム出力SNRを最大化することは、最適なLNA信号利得と、最低のシステムノイズフロアとを示す。以前に決定され得る目標雑音指数または出力SNR(すなわち、連続波(CW)SNRであり、最小の検出された変調信号SNRではない)は、測定された雑音指数(または、出力SNR)と比較するために(すなわち、収束ユニット626によって)使用され得る。
【００３８】
収束ユニット626の出力は、目標が満たされない場合、キャパシタC1およびC2のための値の新しいセットをトリガし、または、キャパシタC1およびC2のための最適な値を維持するためにメモリ634に出力する。さらに、最適化アルゴリズムユニット630は、記憶された最適化データをメモリ634から受信し、最適な結果(すなわち、メモリ634に記憶された設定と比較して)を生成するために最適な設定を探索し続けるように構成され得る。反復回数は、ステップサイズによって、またはキャパシタC1およびC2のステップの量子化によって決定され得る。
【００３９】
システム600の意図される動作の間、LNA整合デバイス610は、既知の振幅の信号発生器602からのCW基準トーンを受信することができ、出力をLNA622に伝達することができる。さらに、雑音指数測定ユニット624は、LNA622の出力の雑音指数を測定することができる。さらに、収束ユニット626の出力は、最適化アルゴリズムユニット630によって受信され、最適化アルゴリズムユニット630は、LNA622の出力の1つまたは複数のパラメータに基づいて、LNA整合デバイス610の最適な構成および/または設定を決定するように構成され得る。より具体的には、最適化アルゴリズムユニット630は、収束ユニット626から受信した信号に基づいて、LNA622の雑音指数を最小化するために、LNA整合デバイス610の1つまたは複数のスイッチの最適な構成と、LNA整合デバイス610の1つまたは複数の可変キャパシタのための最適な設定とを決定するように構成され得る。最適化アルゴリズムユニット630およびメモリ634は、図3に示すデジタルモジュール302などのデジタルモジュールの一部であり得ることに留意されたい。さらに、最適化アルゴリズムユニット630の機能は、(たとえば、デジタルモジュール内の)1つまたは複数のプロセッサによって実行され得る。
【００４０】
システム600は、収束が満たされたときに終了するフィードバックループとして機能することができる。デバイス610内の変数(たとえば、キャパシタC1およびC2の値)の最適な値は、最適化アルゴリズムユニット630によって決定され得、コントローラ404によって設定され得る。これらの変数は、最大の出力SNR(または、最小の雑音指数)のためのガンマ選択にLNAを整合させる役割を行う。変数が最適化アルゴリズムユニット630を介してコントローラ404によって設定された後、システム600の動作は、開始することができ、基準トーンは、信号発生器602によってデバイス610に送られる。
【００４１】
例示的な実施形態によれば、CW基準トーンは、内部で生成され得、最適化アルゴリズム630は、最良の可能なCWのSNRのためのキャパシタC1およびC2の値を選択することができる。さらに、外部基準は、自己生成されたトーンにおけるエラーを決定するために、比較のために使用され得、その後、雑音指数は、測定および最適化され得る。この例示的な実施形態は、モデムプロセッサまたはアプリケーションプロセッサ上で動作するために、最適化アルゴリズムを必要とすることができる。理解されるように、この例示的な実施形態は、システムが自己整合すること、自己テストすること、ならびに、トランシーバフロントエンドデュプレクサにおける変化により、新しい周波数および新しい帯域に適合することさえ可能にする。さらに、それは、相手先商標製造会社(OEM)が、デュプレクサを単に変更し、自己整合または自己調整最適化アルゴリズムを実行することを可能にすることができる。
【００４２】
図12は、既知の入力CW SNRおよび出力SNRから計算された雑音指数計算624(図11参照)の出力を示すプロット680である。図11を再び参照すると、所望の出力SNR(または雑音指数)と比較したときに目標の整合(すなわち、収束)が満たされない場合、入力値(すなわち、キャパシタC1およびC2のための値)の新しいセットは、最適化アルゴリズムユニット630によって再び決定され得、コントローラ404によって設定され得る。このプロセスは、収束が満たされるまで続いてもよい。最適化アルゴリズムユニット630は、キャパシタC1およびC2の最適な設定を見つけることができる数学的に定義された最適化アルゴリズム(たとえば、ネルダー-ミード(Nelder-Mead))を含むことができる。
【００４３】
図13は、1つまたは複数の例示的な実施形態による方法700を示すフローチャートである。方法700は、低雑音増幅器(LNA)整合デバイスにおいてワイヤレス信号を受信するステップを含むことができる(数字702によって示す)。加えて、方法700は、LNA整合デバイスからLNAにワイヤレス信号を伝達するステップを含むこともできる(数字704によって示す)。方法700は、ワイヤレス信号の雑音指数を測定するステップを含むこともできる(数字706によって示す)。さらに、方法700は、複数の周波数帯域のうちの選択された帯域に関する雑音指数を最小化するためにLNA整合デバイスを調整するステップを含むことができる(数字708によって示す)。
【００４４】
本明細書で説明するように、本発明は、LNAが複数の(たとえば、10までの)受信経路をサポートすることを可能にするために、自動化されたLNA調整(たとえば、オンチップソフトウェアを介する)を提供し、したがって、ワイヤレス通信デバイス内の構成要素と、関連する費用とを低減する。さらに、様々な実施形態は、内部無線周波数(RF)基準ソースが利用可能な場合、適応LNA整合または閉ループLNA整合を含むことができる。したがって、システムは、雑音指数を知ることなしに、または、入力SNRについてほとんど何も知らないで、最大の出力SNRのために調整または整合することができる。加えて、様々な実施形態は、電子的に調整可能な事前選択受信機フィルタのための周波数の範囲を提供するために、電子的に調整可能なフィルタを含むことができる。
【００４５】
当業者は、情報および信号が、様々な異なるテクノロジーおよび技術のいずれかを使用して表され得ることを理解するであろう。たとえば、上記の説明全体にわたって参照され得るデータ、命令、コマンド、情報、信号、ビット、シンボル、およびチップは、電圧、電流、電磁波、磁場または粒子、光場または光粒子、あるいはそれらの任意の組合せによって表現され得る。
【００４６】
本明細書に開示する例示的な実施形態と関連して説明される様々な例示的論理ブロック、モジュール、回路、およびアルゴリズムステップは、電子ハードウェア、コンピュータソフトウェア、または両方の組合せとして実装されてよいことを、当業者はさらに諒解するであろう。ハードウェアおよびソフトウェアのこの互換性を明確に説明するために、様々な例示的な構成要素、ブロック、モジュール、回路、およびステップが、それらの機能の観点から一般的に上記で説明されている。そのような機能がハードウェアまたはソフトウェアのいずれとして実装されるのかは、特定の用途と、システム全体に課される設計制約とに依存する。当業者は、説明した機能を、各特定の用途のための様々な方法において実装することができるが、そのような実装の決定は、本発明の例示的な実施形態の範囲からの逸脱を生じさせるものとして解釈されるべきではない。
【００４７】
本明細書で開示される例示的な実施形態に関連して説明される様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)もしくは他のプログラマブル論理デバイス、別個のゲートもしくはトランジスタ論理、別個のハードウェアコンポーネント、または本明細書で説明される機能を実行するように設計されているそれらの任意の組合せによって、実装あるいは実行されてよい。汎用プロセッサはマイクロプロセッサであり得るが、代替実施形態では、プロセッサは、任意の従来のプロセッサ、コントローラ、マイクロコントローラ、または状態機械であってよい。プロセッサは、たとえばDSPとマイクロプロセッサの組合せ、複数のマイクロプロセッサ、DSPコアと連結した1つまたは複数のマイクロプロセッサ、または任意の他のそのような構成など、コンピューティングデバイスの組合せとしても実装されてよい。
【００４８】
1つまたは複数の例示的な実施形態において、説明した機能は、ハードウェア、ソフトウェア、ファームウェア、またはそれらの任意の組合せとして実装され得る。ソフトウェアに実装された場合、それらの機能は、1つまたは複数の命令またはコードとして、コンピュータ可読媒体上に記憶されるか、またはコンピュータ可読媒体を介して送信される場合がある。コンピュータ可読媒体は、コンピュータ記憶媒体と、ある場所から別の場所へのコンピュータプログラムの転送を容易にする任意の媒体を含む通信媒体の両方を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスク記憶装置、磁気ディスク記憶装置もしくは他の磁気記憶デバイス、あるいは、命令もしくはデータ構造の形態の所望のプログラムコードを担持または記憶するために使用することができ、コンピュータによってアクセス可能である、任意の他の媒体を含むことができる。また、任意の接続は、適切にコンピュータ可読媒体と呼ばれる。たとえば、ソフトウェアが、同軸ケーブル、光ファイバケーブル、ツイストペア線、デジタル加入者線(DSL)、または、赤外線、無線、およびマイクロ波のようなワイヤレス技術を使用してウェブサイト、サーバ、または他の遠隔ソースから送信される場合には、同軸ケーブル、光ファイバケーブル、ツイストペア線、DSL、または、赤外線、無線、およびマイクロ波のようなワイヤレス技術は、媒体の規定に含まれる。ディスク(disk)およびディスク(disc)は、本明細書で使用される場合、コンパクトディスク(CD)、レーザディスク(登録商標)、光ディスク、デジタル多用途ディスク(DVD)、フロッピー(登録商標)ディスク、およびブルーレイディスクを含み、ここで、ディスク(disk)は、通常、磁気的にデータを再生し、ディスク(disc)は、レーザを用いて光学的にデータを再生する。上記の組合せも、コンピュータ可読媒体の範囲内に含まれるべきである。
【００４９】
開示されている例示的な実施形態についての以上の説明は、いずれの当業者による本発明の実施または使用をも可能にするために提供されたものである。これらの例示的な実施形態に対する様々な修正が当業者には容易に明らかになるであろうし、本明細書で定義する一般原理は、本発明の趣旨または範囲を逸脱することなしに他の実施形態に適用される場合がある。したがって、本発明は、本明細書に示す例示的な実施形態に限定されることを意図しておらず、本明細書に開示する原理および新規の特徴と一致する最も広い範囲を与えられるものとする。
【符号の説明】
【００５０】
100  デバイス
102  トランシーバASIC
103  LNA
104  一次受信機LNA整合回路
106  ダイバーシティ受信機LNA整合回路
200  通信デバイス
202  部分
204  部分
206  部分
208  一次アンテナ
210  第1のアンテナモジュール
212  ダイバーシティアンテナ
214  第2のアンテナモジュール
216  スイッチ
220A〜220C  デュプレクサ
222  スイッチ
224A〜224G  LNA整合回路
226  トランシーバ集積回路(IC)
230  移動局モデムID
300  電子デバイス
302  デジタルモジュール
304  RFモジュール
305  トランシーバ
306  電力管理モジュール
307  送信機
308  アンテナ
309  受信機
350  デバイス
352  トランシーバモジュール
353  LNA入力
360A〜360D  デバイス
380  デバイス
380A〜380D  デバイス
382  トランシーバモジュール
400  デバイス
402  LNA整合デバイス
403  入力ユニット
404  コントローラ
410  出力ユニット
450  デバイス
452  LNA整合デバイス
453  入力
460  出力
500  デバイス
502  LNA整合デバイス
503  入力ユニット
550  デバイス
552  一次トランシーバ
554  ダイバーシティトランシーバ
556  デバイス
558  デバイス
560  デバイス
562  デバイス
600  システム
602  信号発生器
609  トランシーバモジュール
610  プログラマブルLNA整合デバイス
611  モデムプロセッサ
620  モジュール
622  LNA
624  ダウンコンバータおよびローパスフィルタ(LPF)、雑音指数計算ユニット
626  収束ユニット
630  最適化アルゴリズム
634  メモリ
640  アナログ-デジタル変換器(ADC)
642  サンプルサーバ
【図１】
2016539563.tif 000003
【図２】
2016539563.tif 000004
【図２Ａ】
2016539563.tif 000005
【図２Ｂ】
2016539563.tif 000006
【図２Ｃ】
2016539563.tif 000007
【図３】
2016539563.tif 000008
【図４】
2016539563.tif 000009
【図５】
2016539563.tif 000010
【図６】
2016539563.tif 000011
【図７】
2016539563.tif 000012
【図８】
2016539563.tif 000013
【図９】
2016539563.tif 000014
【図１０】
2016539563.tif 000015
【図１１】
2016539563.tif 000016
【図１２】
2016539563.tif 000017
【図１３】
2016539563.tif 000018
【国際調査報告】
2016539563.tif 000019
2016539563.tif 000020
2016539563.tif 000021